(57)【要約】【課題】目的の被写体に焦点を合わせた画像を簡単に撮像できる撮像装置、絞り値設定方法及び絞り値設定プログラムを提供する。【解決手段】  絞りを備え、かつ、焦点調節が可能なレンズを介して撮像された画像を取得する。取得した画像を表示部に表示する。画像内に設定された複数のエリアの被写体を測距する。複数のエリアの一つを基準エリアに設定する。レンズの絞り値を設定可能な範囲で最大の絞り値に設定して、基準エリアの被写体に焦点を合わせようとした場合に、被写界深度内に含まれるエリアを合焦可能エリアとして検出する。合焦可能エリアを表示部に表示中の画像に重ねて表示する。合焦可能エリアから少なくとも１つのエリアの選択を受け付けて合焦希望エリアを設定する。基準エリアの被写体に焦点を合わせようとした場合に、合焦希望エリアの被写体が被写界深度内に含まれる絞り値を算出する。【選択図】  図１１
2020165997.tif 000002
【特許請求の範囲】
【請求項１】
絞りを備え、かつ、焦点調節が可能なレンズと、
前記レンズを介して撮像した撮像信号を出力するイメージセンサと、
前記撮像信号を取得して、画像を出力する信号処理部と、
前記画像を表示する表示部と、
前記画像内に設定された複数のエリアの被写体を測距する測距部と、
複数の前記エリアの一つを基準エリアに設定する基準エリア設定部と、
前記レンズの絞り値を設定可能な範囲で最大の絞り値に設定して、前記基準エリアの被写体に焦点を合わせようとした場合に、被写界深度内に含まれる前記エリアを合焦可能エリアとして検出する合焦可能エリア検出部と、
前記合焦可能エリアを前記表示部に表示中の前記画像に重ねて表示させる表示制御部と、
前記合焦可能エリアから少なくとも１つの前記エリアの選択を受け付けて合焦希望エリアを設定する合焦希望エリア設定部と、
前記基準エリアの被写体に焦点を合わせようとした場合に、前記合焦希望エリアの被写体が被写界深度内に含まれる絞り値を算出する絞り値算出部と、
を備えた撮像装置。
【請求項２】
設定可能な絞り値の範囲が、現在設定されている絞り値以下の範囲である、
請求項１に記載の撮像装置。
【請求項３】
設定可能な絞り値の範囲が、測光結果に基づいて露出を決定する場合に、シャッタースピードを閾値以上に設定できる範囲である、
請求項１に記載の撮像装置。
【請求項４】
設定可能な絞り値の範囲が、前記レンズで設定できる範囲である、
請求項１に記載の撮像装置。
【請求項５】
前記絞り値算出部は、設定可能な範囲で最小の絞り値を算出する、
請求項１から４のいずれか１項に記載の撮像装置。
【請求項６】
前記絞り値算出部で絞り値が算出された場合において、
前記合焦可能エリア検出部は、前記絞り値算出部で算出された絞り値に基づいて、前記合焦可能エリアを検出し直し、
前記表示制御部は、検出し直された前記合焦可能エリアを新たに前記表示部に表示させる、
請求項１から５のいずれか１項に記載の撮像装置。
【請求項７】
検出し直された前記合焦可能エリアを新たに前記表示部に表示された場合において、
前記合焦希望エリア設定部は、検出し直された前記合焦可能エリアから前記合焦希望エリアの選択を再度受け付け、
前記絞り値算出部は、新たに選択された前記合焦希望エリアに基づいて、絞り値を算出し直す、
請求項６に記載の撮像装置。
【請求項８】
前記基準エリア設定部は、前記基準エリアとする前記エリアの選択を受け付けて、前記基準エリアを設定する、
請求項１から７のいずれか１項に記載の撮像装置。
【請求項９】
前記表示部は、画面上にタッチパッドを備え、
前記タッチパッドでタッチされた前記エリアを前記基準エリアに設定する、
請求項８に記載の撮像装置。
【請求項１０】
前記合焦希望エリア設定部は、前記タッチパッドでタッチされた前記エリアを選択された前記エリアとして受け付ける、
請求項９に記載の撮像装置。
【請求項１１】
前記合焦希望エリア設定部で設定された前記合焦希望エリアの情報を記憶する合焦希望エリア情報記憶部と、
前記合焦希望エリア情報記憶部への記録を制御する合焦希望エリア情報記録制御部と、
前記合焦希望エリア情報記憶部に記憶された前記合焦希望エリアの情報の読み出しを指示する合焦希望エリア情報読み出し指示部と、
前記合焦希望エリア情報読み出し指示部による読み出しの指示に応じて、前記合焦希望エリア情報記憶部に記憶された前記合焦希望エリアの情報を読み出す合焦希望エリア情報読み出し部と、
を更に備え、
前記合焦希望エリア情報読み出し指示部によって前記合焦希望エリアの情報の読み出しが指示された場合、前記絞り値算出部は、前記合焦希望エリア情報読み出し部によって読み出された前記合焦希望エリアに基づいて、絞り値を算出する、
請求項１から１０のいずれか１項に記載の撮像装置。
【請求項１２】
前記合焦希望エリア設定部で前記合焦希望エリアが設定された場合に、前記合焦希望エリア情報記憶部への記憶を指示する合焦希望エリア情報記憶指示部を更に備え、
前記合焦希望エリア情報記録制御部は、前記合焦希望エリア情報記憶指示部によって記憶が指示された場合に、前記合焦希望エリア設定部で設定された前記合焦希望エリアの情報を前記合焦希望エリア情報記憶部に記録する、
請求項１１に記載の撮像装置。
【請求項１３】
前記画像内をグリッド状に分割して複数の前記エリアが設定される、
請求項１から１２のいずれか１項に記載の撮像装置。
【請求項１４】
前記イメージセンサが位相差検出画素を備え、
前記測距部は、前記位相差検出画素からの出力に基づいて、複数の前記エリアの被写体を測距する、
請求項１から１３のいずれか１項に記載の撮像装置。
【請求項１５】
前記レンズが交換可能である、
請求項１から１４のいずれか１項に記載の撮像装置。
【請求項１６】
絞りを備え、かつ、焦点調節が可能なレンズを介して撮像された画像を取得するステップと、
前記画像を表示部に表示するステップと、
前記画像内に設定された複数のエリアの被写体を測距するステップと、
複数の前記エリアの一つを基準エリアに設定するステップと、
前記レンズの絞り値を設定可能な範囲で最大の絞り値に設定して、前記基準エリアの被写体に焦点を合わせようとした場合に、被写界深度内に含まれる前記エリアを合焦可能エリアとして検出するステップと、
前記合焦可能エリアを前記表示部に表示中の前記画像に重ねて表示するステップと、
前記合焦可能エリアから少なくとも１つの前記エリアの選択を受け付けて合焦希望エリアを設定するステップと、
前記基準エリアの被写体に焦点を合わせようとした場合に、前記合焦希望エリアの被写体が被写界深度内に含まれる絞り値を算出するステップと、
を有する絞り値設定方法。
【請求項１７】
絞りを備え、かつ、焦点調節が可能なレンズを介して撮像された画像を取得する機能と、
前記画像を表示部に表示する機能と、
前記画像内に設定された複数のエリアの被写体を測距する機能と、
複数の前記エリアの一つを基準エリアに設定する機能と、
前記レンズの絞り値を設定可能な範囲で最大の絞り値に設定して、前記基準エリアの被写体に焦点を合わせようとした場合に、被写界深度内に含まれる前記エリアを合焦可能エリアとして検出する機能と、
前記合焦可能エリアを前記表示部に表示中の前記画像に重ねて表示する機能と、
前記合焦可能エリアから少なくとも１つの前記エリアの選択を受け付けて合焦希望エリアを設定する機能と、
前記基準エリアの被写体に焦点を合わせようとした場合に、前記合焦希望エリアの被写体が被写界深度内に含まれる絞り値を算出する機能と、
をコンピュータに実現させる絞り値設定プログラム。
【発明の詳細な説明】
【技術分野】
【０００１】
本発明は、撮像装置、絞り値設定方法及び絞り値設定プログラムに関する。
【背景技術】
【０００２】
焦点を合わせて撮像したい被写体が、画面内の複数箇所に点在しているようなシーンでは、被写界深度（焦点を合わせた部分の前後の焦点が合っているように見える範囲）を考慮して絞り値（Ｆ値）を設定する必要がある。しかし、撮像に不慣れな者が、被写界深度を考慮して、適切な絞り値を選択することは難しい。
【０００３】
特許文献１には、画面内に設定された複数のフォーカスポイントの中から任意のフォーカスポイントを選択すると、選択されたフォーカスポイントの被写体が被写界深度内に含まれるように、絞り値を自動で決定する技術が記載されている。
【０００４】
また、特許文献２には、現在の絞り値の設定に対して、被写界深度内に含まれる範囲を画面上で表示する技術が記載されている。
【先行技術文献】
【特許文献】
【０００５】
【特許文献１】特開2008-256826号公報
【特許文献２】特開2009-98167号公報
【発明の概要】
【発明が解決しようとする課題】
【０００６】
しかしながら、特許文献１は、絞り値について設定可能な範囲を考慮していないため、実際には選択できない絞り値が設定される事態が生じ得る。たとえば、露出がオーバーあるいはアンダーになるような絞り値が設定される事態が生じ得る。また、たとえば、レンズ交換式カメラでは、レンズごとに使用可能な絞り値の範囲が異なる場合があるが、装着したレンズで使用できない絞り値に設定される事態も生じ得る。
【０００７】
一方、特許文献２は、画面で焦点が合う範囲を確認しながら適切な絞り値を選択する必要があり、調整に手間がかかるという欠点がある。特に、焦点を合わせて撮像したい被写体が、画面内の複数箇所に点在しているようなシーンでは、確認に手間がかかり、シャッターチャンスを逃すおそれがある。
【０００８】
本発明は、このような事情に鑑みてなされたもので、目的の被写体に焦点を合わせた画像を簡単に撮像できる撮像装置、絞り値設定方法及び絞り値設定プログラムを提供することを目的とする。
【課題を解決するための手段】
【０００９】
上記課題を解決するための手段は、次のとおりである。
【００１０】
（１）絞りを備え、かつ、焦点調節が可能なレンズと、レンズを介して撮像した撮像信号を出力するイメージセンサと、撮像信号を取得して、画像を出力する信号処理部と、画像を表示する表示部と、画像内に設定された複数のエリアの被写体を測距する測距部と、複数のエリアの一つを基準エリアに設定する基準エリア設定部と、レンズの絞り値を設定可能な範囲で最大の絞り値に設定して、基準エリアの被写体に焦点を合わせようとした場合に、被写界深度内に含まれるエリアを合焦可能エリアとして検出する合焦可能エリア検出部と、合焦可能エリアを表示部に表示中の画像に重ねて表示させる表示制御部と、合焦可能エリアから少なくとも１つのエリアの選択を受け付けて合焦希望エリアを設定する合焦希望エリア設定部と、基準エリアの被写体に焦点を合わせようとした場合に、合焦希望エリアの被写体が被写界深度内に含まれる絞り値を算出する絞り値算出部と、を備えた撮像装置。
【００１１】
（２）設定可能な絞り値の範囲が、現在設定されている絞り値以下の範囲である、上記（１）の撮像装置。
【００１２】
（３）設定可能な絞り値の範囲が、測光結果に基づいて露出を決定する場合に、シャッタースピードを閾値以上に設定できる範囲である、上記（１）の撮像装置。
【００１３】
（４）設定可能な絞り値の範囲が、レンズで設定できる範囲である、上記（１）の撮像装置。
【００１４】
（５）絞り値算出部は、設定可能な範囲で最小の絞り値を算出する、上記（１）から（４）のいずれか一の撮像装置。
【００１５】
（６）絞り値算出部で絞り値が算出された場合において、合焦可能エリア検出部は、絞り値算出部で算出された絞り値に基づいて、合焦可能エリアを検出し直し、表示制御部は、検出し直された合焦可能エリアを新たに表示部に表示させる、上記（１）から（５）のいずれか一の撮像装置。
【００１６】
（７）検出し直された合焦可能エリアを新たに表示部に表示された場合において、合焦希望エリア設定部は、検出し直された合焦可能エリアから合焦希望エリアの選択を再度受け付け、絞り値算出部は、新たに選択された合焦希望エリアに基づいて、絞り値を算出し直す、上記（６）の撮像装置。
【００１７】
（８）基準エリア設定部は、基準エリアとするエリアの選択を受け付けて、基準エリアを設定する、上記（１）から（７）のいずれか一の撮像装置。
【００１８】
（９）表示部は、画面上にタッチパッドを備え、タッチパッドでタッチされたエリアを基準エリアに設定する、上記（８）の撮像装置。
【００１９】
（１０）合焦希望エリア設定部は、タッチパッドでタッチされたエリアを選択されたエリアとして受け付ける、上記（９）の撮像装置。
【００２０】
（１１）合焦希望エリア設定部で設定された合焦希望エリアの情報を記憶する合焦希望エリア情報記憶部と、合焦希望エリア情報記憶部への記録を制御する合焦希望エリア情報記録制御部と、合焦希望エリア情報記憶部に記憶された合焦希望エリアの情報の読み出しを指示する合焦希望エリア情報読み出し指示部と、合焦希望エリア情報読み出し指示部による読み出しの指示に応じて、合焦希望エリア情報記憶部に記憶された合焦希望エリアの情報を読み出す合焦希望エリア情報読み出し部と、を更に備え、合焦希望エリア情報読み出し指示部によって合焦希望エリアの情報の読み出しが指示された場合、絞り値算出部は、合焦希望エリア情報読み出し部によって読み出された合焦希望エリアに基づいて、絞り値を算出する、上記（１）から（１０）のいずれか一の撮像装置。
【００２１】
（１２）合焦希望エリア設定部で合焦希望エリアが設定された場合に、合焦希望エリア情報記憶部への記憶を指示する合焦希望エリア情報記憶指示部を更に備え、合焦希望エリア情報記録制御部は、合焦希望エリア情報記憶指示部によって記憶が指示された場合に、合焦希望エリア設定部で設定された合焦希望エリアの情報を合焦希望エリア情報記憶部に記録する、上記（１１）の撮像装置。
【００２２】
（１３）画像内をグリッド状に分割して複数のエリアが設定される、上記（１）から（１２）のいずれか一の撮像装置。
【００２３】
（１４）イメージセンサが位相差検出画素を備え、測距部は、位相差検出画素からの出力に基づいて、複数のエリアの被写体を測距する、上記（１）から（１３）のいずれか一の撮像装置。
【００２４】
（１５）レンズが交換可能である、上記（１）から（１４）のいずれか一の撮像装置。
【００２５】
（１６）絞りを備え、かつ、焦点調節が可能なレンズを介して撮像された画像を取得するステップと、画像を表示部に表示するステップと、画像内に設定された複数のエリアの被写体を測距するステップと、複数のエリアの一つを基準エリアに設定するステップと、レンズの絞り値を設定可能な範囲で最大の絞り値に設定して、基準エリアの被写体に焦点を合わせようとした場合に、被写界深度内に含まれるエリアを合焦可能エリアとして検出するステップと、合焦可能エリアを表示部に表示中の画像に重ねて表示するステップと、合焦可能エリアから少なくとも１つのエリアの選択を受け付けて合焦希望エリアを設定するステップと、基準エリアの被写体に焦点を合わせようとした場合に、合焦希望エリアの被写体が被写界深度内に含まれる絞り値を算出するステップと、を有する絞り値設定方法。
【００２６】
（１７）絞りを備え、かつ、焦点調節が可能なレンズを介して撮像された画像を取得する機能と、画像を表示部に表示する機能と、画像内に設定された複数のエリアの被写体を測距する機能と、複数のエリアの一つを基準エリアに設定する機能と、レンズの絞り値を設定可能な範囲で最大の絞り値に設定して、基準エリアの被写体に焦点を合わせようとした場合に、被写界深度内に含まれるエリアを合焦可能エリアとして検出する機能と、合焦可能エリアを表示部に表示中の画像に重ねて表示する機能と、合焦可能エリアから少なくとも１つのエリアの選択を受け付けて合焦希望エリアを設定する機能と、基準エリアの被写体に焦点を合わせようとした場合に、合焦希望エリアの被写体が被写界深度内に含まれる絞り値を算出する機能と、をコンピュータに実現させる絞り値設定プログラム。
【発明の効果】
【００２７】
本発明によれば、目的の被写体に焦点を合わせた画像を簡単に撮像できる。
【図面の簡単な説明】
【００２８】
【図１】デジタルカメラの外観構成の一例を示す正面斜視図
【図２】図１に示すデジタルカメラの背面斜視図
【図３】デジタルカメラの電気的構成を示すブロック図
【図４】ＡＦ可能エリアのエリア分割の一例を示す図
【図５】被写体選択撮像機能を実現する構成の一例を示すブロック図
【図６】基準エリアの選択画面の一例を示す図
【図７】図６に示す画像における各被写体の位置関係の概略を示す図
【図８】合焦可能エリアの検出結果の表示画面の一例を示す図
【図９】合焦希望エリアの選択後の表示画面の一例を示す図
【図１０】検出し直された合焦可能エリアの表示画面の一例を示す図
【図１１】被写体選択撮像機能がオンされた場合の撮像の処理手順を示すフローチャート
【図１２】撮像により得られる画像の一例を示す図
【図１３】第２の実施の形態のデジタルカメラにおいて、被写体選択撮像機能がオンされた場合の撮像の処理手順を示すフローチャート
【図１４】第３の実施の形態のデジタルカメラにおいて、被写体選択撮像機能を実現する構成の一例を示すブロック図
【図１５】第３の実施の形態のデジタルカメラにおいて、被写体選択撮像機能がオンされた場合の撮像の処理手順を示すフローチャート
【図１６】第４の実施の形態のデジタルカメラにおいて、被写体選択撮像機能を実現する構成の一例を示すブロック図
【図１７】合焦希望エリアの記録の要否を問い合わせるメッセージを表示した表示部の画面の一例を示す図
【図１８】第４の本実施の形態のデジタルカメラにおいて、被写体選択撮像機能がオンされた場合の撮像の処理手順を示すフローチャート
【図１９】第５の実施の形態のデジタルカメラにおいて、被写体選択撮像機能がオンされた場合の撮像の処理手順を示すフローチャート
【発明を実施するための形態】
【００２９】
［第１の実施の形態］
［デジタルカメラの外観構成］
図１は、デジタルカメラの外観構成の一例を示す正面斜視図である。また、図２は、図１に示すデジタルカメラの背面斜視図である。
【００３０】
図１及び図２に示すデジタルカメラ１は、いわゆるレンズ交換式のデジタルカメラであり、カメラボディ（装置本体）１００及び交換レンズ１０を有する。なお、図１では、交換レンズ１０として、単焦点レンズを装着した場合の例を示している。デジタルカメラ１は、撮像装置の一例である。
【００３１】
カメラボディ１００は、正面部にレンズマウント１０１を有する。交換レンズ１０は、レンズマウント１０１を介して、カメラボディ１００に着脱自在に装着される。レンズマウント１０１には、接点（不図示）が備えられる。カメラボディ１００に装着された交換レンズ１０は、接点を介して、カメラボディ１００と電気的に接続される。
【００３２】
カメラボディ１００は、操作部材として、その正面部にフォーカスモード切換レバー１０２、フロントコマンドダイヤル１０３等を有する。また、カメラボディ１００は、操作部材として、その上面部に電源レバー１０４、シャッターボタン１０５、露出補正ダイヤル１０６、シャッタースピードダイヤル１０７、感度ダイヤル１０８等を有する。更に、カメラボディ１００は、操作部材として、その背面部にリアコマンドダイヤル１０９、消去ボタン１１０、再生ボタン１１１、ＡＥ（auto exposure）ロックボタン１１２、ＡＦ（auto focus）ロックボタン１１３、メニューボタン１１４、ジョイスティック１１５、十字ボタン１１６、ＯＫボタン１１７、キャンセルボタン１１８等を有する。
【００３３】
フロントコマンドダイヤル１０３及びリアコマンドダイヤル１０９は、クリックストップ機構を備えた回転式の操作部材である。また、フロントコマンドダイヤル１０３及びリアコマンドダイヤル１０９は、押込み操作（プッシュ操作）が可能であり、中央部を押し込むことにより、カメラのモードに応じた所定のコマンドが入力される。ジョイスティック１１５は、レバー操作によって方向入力を行う操作部材である。本実施の形態では、ジョイスティック１１５によって、上方向、下方向、左方向、右方向、右斜め上方向、左斜め上方向、右斜め下方向及び左斜め下方向の操作入力が行われる。また、ジョイスティック１１５は、押込み操作が可能であり、中央部を押し込むことにより、カメラのモードに応じた所定のコマンドが入力される。十字ボタン１１６（十字キーともいう）は、ボタン操作によって方向入力を行う操作部材である。本実施の形態では、十字ボタン１１６が、上方向の操作入力を行う上ボタン、下方向の操作入力を行う下ボタン、左方向の操作入力を行う左ボタン及び右方向の操作入力を行う右ボタンの４つのボタンで構成される。フロントコマンドダイヤル１０３、リアコマンドダイヤル１０９、ジョイスティック１１５及び十字ボタン１１６には、デジタルカメラ１のモードに応じた機能が割り当てられる。
【００３４】
また、シャッターボタン１０５は、いわゆる半押し及び全押しが可能な二段ストローク式の押下ボタンで構成される。シャッターボタン１０５の半押しでＳ１オンの信号が出力され、全押しでＳ２オンの信号が出力される。
【００３５】
カメラボディ１００は、背面部にファインダの接眼部１１９Ａを有する。ファインダは、電子ビューファインダー（electric viewfinder ,EVF）で構成される。
【００３６】
また、カメラボディ１００は、背面部に背面モニタ１２０を有する。背面モニタ１２０は、いわゆるタッチパネル（タッチスクリーンともいう）で構成される。したがって、背面モニタ１２０は、操作部材としても機能する。背面モニタ１２０は、たとえば、液晶ディスプレイ（liquid crystal display ,LCD）、有機ＥＬディスプレイ（organic electroluminescence display）等のパネルディスプレイと、タッチパッドとを組み合わせて構成される。
【００３７】
交換レンズ１０は、操作部材として、その鏡胴１０Ａの外周部にフォーカスリング１１及び絞りリング１２等を有する。なお、交換レンズ１０が、ズームレンズの場合には、操作部材として、更にズームリングが備えられる。交換レンズ１０は、レンズの一例である。
【００３８】
［デジタルカメラの電気的構成］
図３は、デジタルカメラの電気的構成を示すブロック図である。
【００３９】
［交換レンズ］
交換レンズ１０は、複数枚のレンズを組み合わせて構成される。交換レンズ１０は、焦点調節が可能であり、そのレンズの一部又は全体を光軸に沿って前後移動させることにより、焦点調節される。焦点調節用のレンズ（フォーカスレンズ）は、レンズ駆動部２０に駆動されて移動する（全体を移動させて焦点調節する場合は、全体がレンズ駆動部２０に駆動されて移動する。）。レンズ駆動部２０は、モータ及びその駆動回路で構成される。
【００４０】
交換レンズ１０は、絞り１３を有する。絞り１３は、たとえば虹彩絞りで構成される。絞り１３は、絞り駆動部２１に駆動されて、開口径が段階的に変化する。すなわち、絞り値が、あらかじめ定められたステップで変化する。絞り駆動部２１は、モータ及びその駆動回路で構成される。
【００４１】
交換レンズ１０は、レンズマイコン２２を有する。レンズマイコン２２は、ＣＰＵ（Central Processing Unit）、ＲＯＭ（Read Only Memory）及びＲＡＭ（Random Access Memory）を備えたマイクロコンピュータで構成され、所定のプログラムを実行することにより、交換レンズ１０の制御部として機能する。レンズマイコン２２は、カメラボディ１００からの指令及びレンズ操作部２３の操作に基づいて、レンズ駆動部２０及び絞り駆動部２１を制御する。また、レンズマイコン２２は、カメラボディ１００に備えられたカメラマイコン１５０との間でデータを送受信する。たとえば、デジタルカメラ１が起動すると、レンズマイコン２２は、カメラマイコン１５０に交換レンズ１０の情報を送信する。すなわち、カメラボディ１００に装着されている交換レンズ１０の仕様の情報を送信する。この情報には、たとえば、レンズ機種データ、レンズ特性データ、レンズ特性補正データ等の情報が含まれる。レンズ機種データには、レンズ機種名、焦点距離、開放Ｆ値、メーカー名等が含まれる。レンズ特性データには、輝度シェーディングデータ、色シェーディングデータ、ディストーションデータ、収差データ等が含まれる。レンズ特性補正データには、輝度シェーディング補正データ、色シェーディング補正データ、ディストーション補正データ、収差補正データ等が含まれる。交換レンズ１０の仕様の情報は、レンズマイコン２２のＲＯＭに格納される。レンズマイコン２２は、ＲＯＭから当該情報を読み出して、カメラマイコン１５０に送信する。カメラマイコン１５０は、当該情報を受信することで、装着されている交換レンズ１０の仕様の情報を取得する。また、装着されている交換レンズ１０が、ズームレンズの場合、レンズマイコン２２は、ズーム操作に応じて変化する焦点距離の情報をカメラマイコン１５０に送信する。カメラマイコン１５０は、当該情報を受信することで、現在の焦点距離の情報を取得する。
【００４２】
レンズ操作部２３は、フォーカスリング１１及び絞りリング１２等の操作部材及びその信号処理回路を含み、各操作部材の操作に基づく信号をレンズマイコン２２に出力する。
【００４３】
［カメラボディ］
カメラボディ１００は、イメージセンサ１３０、シャッタ１３２、アナログ信号処理部１３４、デジタル信号処理部１３６、ＡＦ（auto focus）処理部１３８、ＡＥ（auto exposure）処理部１４０、メモリカードインタフェース１４２、メモリカード１４４、内蔵メモリ１４６、電子ビューファインダー（ＥＶＦ）１１９、背面モニタ１２０、カメラ操作部１４８及びカメラマイコン１５０等を備える。
【００４４】
イメージセンサ１３０は、交換レンズ１０を通る光を撮像面で受光し、電気信号（撮像信号）に変換して出力する。イメージセンサ１３０は、たとえば、ＣＭＯＳ（Complementary Metal Oxide Semiconductor）、ＣＣＤ（Charged Coupled Device）等の固体撮像素子で構成される。イメージセンサ１３０は、イメージセンサ駆動部１３０Ａに駆動されて動作する。
【００４５】
また、本実施の形態のイメージセンサ１３０は、位相差量の検出機能を有する。この種のイメージセンサは公知であるので、その詳細については説明を省略する。一般に、この種のイメージセンサは、撮像面に複数の位相差検出画素を備え、その複数の位相差検出画素の出力に基づいて、位相差量が検出される。位相差量の検出は、画面内（画像内）の複数のエリアで可能であり、エリアごとに位相差検出画素が備えられる。以下、この位相差量の検出が可能なエリアをＡＦ（auto focus）可能エリアと称する。
【００４６】
図４は、ＡＦ可能エリアのエリア分割の一例を示す図である。
【００４７】
本実施の形態のイメージセンサ１３０は、撮像面１３０Ｂをグリッド状に分割して、位相差量を検出するＡＦ可能エリアＡ（ｉ，ｊ）を設定している。図４には、画面（画像）を１１７分割（縦９×横１３）した場合の例を示している。各ＡＦ可能エリアＡ（ｉ，ｊ）には、それぞれ位相差検出画素が備えられ、個別に位相差量を検出できる。
【００４８】
シャッタ１３２は、フォーカルプレーンシャッタで構成される。シャッタ１３２は、シャッタ駆動部１３２Ａに駆動されて、そのシャッタ幕が開閉される。
【００４９】
アナログ信号処理部１３４は、イメージセンサ１３０から出力される撮像信号に所定の信号処理（たとえば、相関二重サンプリング処理、増幅処理等）を施し、デジタル信号に変換して出力する。
【００５０】
デジタル信号処理部１３６は、デジタル化された撮像信号を取得し、所定の信号処理（たとえば、階調変換処理、ホワイトバランス補正処理、ガンマ補正処理、同時化処理、ＹＣ変換処理等）を施して、画像を生成する。デジタル信号処理部１３６は、画像処理部の一例である。
【００５１】
ＡＦ処理部１３８は、イメージセンサ１３０から出力される撮像信号に基づいて、ＡＦ（auto focus）制御に必要な制御量を算出する。具体的には、各ＡＦ可能エリアＡ（ｉ，ｊ）に備えられた位相差検出画素の出力に基づいて、各ＡＦ可能エリアの位相差量を算出し、算出した位相差量に基づいて、各ＡＦ可能エリアのデフォーカス量を算出する。カメラマイコン１５０は、このＡＦ処理部１３８の算出結果に基づいて、ＡＦ制御を実施する。具体的には、ＡＦ（auto focus）の対象とされたエリア（フォーカスエリア）のデフォーカス量に基づいて、フォーカスレンズの移動目標位置を決定し、レンズマイコン２２に駆動指令を出力する。
【００５２】
また、ＡＦ処理部１３８は、測距部１３８Ａを含み、測距部１３８Ａは、各ＡＦ可能エリアＡ（ｉ，ｊ）に備えられた位相差検出画素の出力に基づいて、各ＡＦ可能エリアＡ（ｉ，ｊ）の被写体を測距する。すなわち、各ＡＦ可能エリアＡ（ｉ，ｊ）の被写体までの距離（被写体距離（撮像面から被写体までの距離））を算出する。
【００５３】
ＡＥ処理部１４０は、イメージセンサ１３０の出力に基づいて、ＡＥ（auto exposure）制御に必要な制御量を算出する。具体的には、所定の測光パターンに従って、被写体の明るさを測定する。カメラマイコン１５０は、このＡＥ処理部１４０で測定された被写体の明るさ（測光値）に基づいて、撮像の際の露出を決定する。すなわち、適正露出で撮像するための感度、絞り値及びシャッタースピードを決定する。絞り値及びシャッタースピードの設定には、たとえば、プログラム線図が用いられる。
【００５４】
メモリカードインタフェース１４２は、カードスロットに装着されたメモリカード１４４に対して、データの読み書きを行う。メモリカード１４４は、主として撮像により得られた画像データの記録先として使用される。
【００５５】
内蔵メモリ１４６は、たとえば、ＥＥＰＲＯＭ（Electrically Erasable Programmable Read-only Memory）等の不揮発性メモリで構成される。内蔵メモリ１４６は、撮像により得られた画像データの記録先として使用されるほか、デジタルカメラ１の設定データ等の記録先として使用される。
【００５６】
電子ビューファインダー１１９は、表示デバイスを有し、その表示デバイスの表示を接眼部１１９Ａ（図２参照）から観察する。表示デバイスは、たとえば、液晶ディスプレイ、有機ＥＬディスプレイ（EL：ElectroLuminescent）等で構成される。
【００５７】
背面モニタ１２０は、上記のように、タッチパネルで構成され、ディスプレイ１２０Ａとタッチパッド１２０Ｂとを組み合わせて構成される。ディスプレイ１２０Ａは、液晶ディスプレイ、有機ＥＬディスプレイ等で構成される。背面モニタ１２０及び電子ビューファインダー１１９は、いずれも表示部の一例である。
【００５８】
カメラ操作部１４８は、カメラボディ１００に備えられた各操作部材（タッチパネルとしての背面モニタ１２０を含む）及びその信号処理回路を含み、各操作部材の操作に基づく信号をカメラマイコン１５０に出力する。
【００５９】
カメラマイコン１５０は、ＣＰＵ、ＲＯＭ及びＲＡＭを備えたマイクロコンピュータで構成され、所定のプログラムを実行することにより、デジタルカメラ１の制御部として機能する。たとえば、ライブビューの表示制御、ＡＥ（auto exposure）制御、ＡＦ（auto focus）制御、記録用の撮像制御、記録制御、再生制御、各種設定処理等を実施する。これらの機能は、一般的なデジタルカメラの機能であるので、その詳細についての説明は省略する。なお、ライブビューとは、イメージセンサ１３０からの出力を表示部（電子ビューファインダー１１９及び背面モニタ１２０）にリアルタイムに表示させる機能である。
【００６０】
［被写体選択撮像機能］
本実施の形態のデジタルカメラ１は、ユーザ（撮像者）による撮像を補助する機能として、次の機能を有する。すなわち、ユーザが、焦点を合わせたい被写体を選択すると、選択されたすべての被写体が被写界深度内に含まれるように、絞り値を自動的に決定する機能を有する。本明細書では、この機能を被写体選択撮像機能と称する。以下、本機能について説明する。
【００６１】
図５は、被写体選択撮像機能を実現する構成の一例を示すブロック図である。
【００６２】
同図に示すように、デジタルカメラ１は、本機能を実現する構成として、表示部１６０の表示を制御する表示制御部１５０Ａ、基準エリアを設定する基準エリア設定部１５０Ｂ、レンズ情報を取得するレンズ情報取得部１５０Ｃ、合焦可能エリアを検出する合焦可能エリア検出部１５０Ｄ、合焦希望エリアを設定する合焦希望エリア設定部１５０Ｅ、撮像の際の絞り値を算出する絞り値算出部１５０Ｆ、算出された絞り値に基づいて露出を決定する露出決定部１５０Ｇを有する。各部の機能は、カメラマイコン１５０によって実現される。カメラマイコン１５０は、所定の制御プログラム（絞り値設定プログラム）を実行することより、上記各部の機能を実現する。
【００６３】
表示制御部１５０Ａは、カメラ操作部１４８からの操作入力に基づいて、表示部１６０の表示を制御する。表示部１６０は、背面モニタ１２０又は電子ビューファインダー１１９で構成される。すなわち、ライブビューの表示先として背面モニタ１２０が選択されている場合は、背面モニタ１２０が表示部１６０を構成し、電子ビューファインダー１１９が選択されている場合は、電子ビューファインダー１１９が表示部１６０を構成する。表示制御部１５０Ａは、表示部１６０にライブビューを表示させる。また、その表示部１６０に表示中のライブビューの画像にＡＦ可能エリアの情報、基準エリアの情報、合焦可能エリアの情報、合焦希望エリアの情報等を重ねて表示させる。各表示の詳細については、後述する。
【００６４】
基準エリア設定部１５０Ｂは、カメラ操作部１４８から操作入力を受け付けて、基準エリアを設定する。基準エリアとは、焦点合わせをする際に基準となるエリアのことであり、いわゆるフォーカスエリアと同義である。基準エリアは、ＡＦ可能エリアの中から一つを選択して設定される。選択は、表示部１６０の画面上で行われる。
【００６５】
図６は、基準エリアの選択画面の一例を示す図である。
【００６６】
同図に示すように、基準エリアを選択する画面では、ライブビューの画像ＬＶに重ねてＡＦ可能エリアを示す枠（以下、ＡＦ可能エリア枠ＡＡと称する）が表示される。そして、そのＡＦ可能エリア枠ＡＡの一つに重ねて基準エリアを選択する枠（以下、基準エリア枠ＲＡと称する）が表示される。基準エリア枠ＲＡは、ＡＦ可能エリア枠ＡＡに対して識別可能な形態で表示される。たとえば、色及び太さ等を変えて表示される（たとえば、ＡＦ可能エリア枠ＡＡを黄色の細線で表示し、基準エリア枠ＲＡを赤色の太線で表示する。）。基準エリア枠ＲＡの初期表示位置は、たとえば、画面左上隅のＡＦ可能エリアＡ（１，１）の位置である。
【００６７】
ユーザは、画面上に表示された基準エリア枠ＲＡを移動させて、基準エリアとするエリアを選択する。基準エリア枠ＲＡの移動は、たとえば、ジョイスティック１１５で行われる。あるいは、表示部１６０が背面モニタ１２０で構成される場合は、画面へのタッチ操作で行われる。ジョイスティック１１５で選択する場合は、ジョイスティック１１５を移動方向に倒す操作で基準エリア枠ＲＡを移動させる。また、ジョイスティック１１５の押込み操作で選択を確定させる。タッチ操作で選択する場合は、基準エリアとするＡＦ可能エリアをタッチして選択する。基準エリア設定部１５０Ｂは、カメラ操作部１４８から操作入力を受け付けて、基準エリアを設定する。なお、図６は、ＡＦ可能エリアＡ（２，９）を基準エリアとして選択した場合の例を示している。
【００６８】
レンズ情報取得部１５０Ｃは、交換レンズ１０からレンズ情報を取得する。この情報には、少なくとも交換レンズ１０の焦点距離の情報及び交換レンズ１０で設定できる絞り値の情報が含まれる。交換レンズ１０で設定できる絞り値の情報には、最小の絞り値（開放絞りでの絞り値）、最大の絞り値（最小絞りでの絞り値）、及び、絞り１３を可変させるステップ数の情報が含まれる。焦点距離の情報については、装着されている交換レンズ１０がズームレンズの場合、現在設定されている焦点距離の情報が取得される。これらの情報は、カメラマイコン１５０がレンズマイコン２２と通信して取得する。
【００６９】
合焦可能エリア検出部１５０Ｄは、交換レンズ１０の絞り値を設定可能な範囲で最大の絞り値に設定して、基準エリアに焦点を合わせようとした場合に、被写界深度内に含まれるＡＦ可能エリアを合焦可能エリアとして検出する。合焦可能エリア検出部１５０Ｄは、測距部１３８Ａの出力及びレンズ情報取得部１５０Ｃで取得した交換レンズ１０のレンズ情報に基づいて、合焦可能エリアを検出する。より具体的には、測距部１３８Ａで検出される各ＡＦ可能エリアの被写体の被写体距離の情報、交換レンズ１０の焦点距離の情報及び設定可能な最大の絞り値の情報に基づいて、合焦可能エリアを検出する。なお、本実施の形態において、設定可能な最大の絞り値は、装着された交換レンズ１０で設定できる最大の絞り値である。したがって、たとえば、装着された交換レンズ１０で設定できる絞り値の範囲がＦ２からＦ１６の場合、Ｆ１６が設定できる最大の絞り値となる。合焦可能エリア検出部１５０Ｄは、最大の絞り値に設定して基準エリアに焦点を合わせた場合の被写界深度を算出し、被写界深度内に含まれるＡＦ可能エリアＡ（ｉ，ｊ）を検出する。
【００７０】
なお、被写界深度は、レンズの絞り値、焦点距離及び被写体距離で求められる。したがって、設定可能な最大の絞り値の情報（ここでは、交換レンズ１０で設定できる最大の絞り値の情報）、焦点距離の情報及び基準エリアの被写体の被写体距離の情報を取得して、被写界深度を算出する。この際、合焦可能エリア検出部１５０Ｄは、あらかじめ用意された演算式（関数）に従って、被写界深度を算出する。あるいは、あらかじめ用意されたテーブルを参照して、被写界深度を求める。
【００７１】
一般に、被写界深度は、レンズの絞り値が、小さくなるほど浅くなり、大きくなるほど深くなる、という性質を有する。また、被写界深度は、レンズの焦点距離が長くなるほど浅くなり、短くなるほど深くなる、という性質を有する。更に、被写界深度は、被写体距離が短くなるほど浅くなり、長くなるほど深くなる、という性質を有する。
【００７２】
図７は、図６に示す画像における各被写体の位置関係の概略を示す図である。
【００７３】
図６に示すように、画像内には、主として、第１の被写体ＯＢ１（猫）、第２の被写体ＯＢ２（第１の人物）、第３の被写体ＯＢ３（第２の人物）、第４の被写体ＯＢ４（第３の人物）、第５の被写体ＯＢ５（第４の人物）、第６の被写体ＯＢ６（第５の人物（赤ん坊を抱く人物））、第７の被写体ＯＢ７（第６の人物）、第８の被写体ＯＢ８（第７の人物）、第９の被写体ＯＢ９（第１の建物）、第１０の被写体ＯＢ１０（第２の建物）、第１１の被写体ＯＢ１１（第３の建物）、第１２の被写体ＯＢ１２（第４の建物）及び第１３の被写体ＯＢ１３（第５の建物）が写されている。
【００７４】
各被写体の位置関係は、図７に示すように、第１の被写体ＯＢ１が最もカメラから近い位置に位置しており、その後方に、第２の被写体ＯＢ２から第６の被写体ＯＢ６が一塊となって位置している。また、その後方に第７の被写体ＯＢ７及び第８の被写体ＯＢ８が位置しており、更にその後方に第９の被写体ＯＢ９から第１３の被写体ＯＢ１３が、ほぼ同じ位置に位置している。なお、第２の被写体ＯＢ２から第６の被写体ＯＢ６については、第２の被写体ＯＢ２が、最もカメラに近い位置に位置しており、その後方に第３の被写体ＯＢ３及び第４の被写体ＯＢ４が位置（第３の被写体ＯＢ３及び第４の被写体ＯＢ４は、ほぼ同じ位置）し、更にその後方に第５の被写体ＯＢ５及び第６の被写体ＯＢ６（第５の被写体ＯＢ５及び第６の被写体ＯＢ６は、ほぼ同じ位置）が位置している。
【００７５】
図７において、符号Ｗ１で示す範囲は、最大の絞り値（Ｆ１６）に設定して、基準エリア（Ａ（２，９））に焦点を合わせた場合の被写界深度を示している。この場合、第１の被写体ＯＢ１から第８の被写体ＯＢ８が、被写界深度内に収まる。また、符号Ｗ２で示す範囲は、絞り値を小さくして（Ｆ４）、基準エリア（Ａ（２，９））に焦点を合わせた場合の被写界深度を示している。この場合、第２の被写体ＯＢ２から第６の被写体ＯＢ６が、被写界深度内に収まる。
【００７６】
表示制御部１５０Ａは、合焦可能エリア検出部１５０Ｄによって検出された合焦可能エリアの情報をライブビューの画像に重ねて表示させる。
【００７７】
図８は、合焦可能エリアの検出結果の表示画面の一例を示す図である。
【００７８】
同図に示すように、合焦可能エリアの検出結果の表示画面では、ライブビューの画像ＬＶに重ねて合焦可能エリアを示す枠（以下、合焦可能エリア枠ＡＢと称する）、ＡＦ可能エリア枠ＡＡ及び基準エリア枠ＲＡが表示される。合焦可能エリア枠ＡＢは、ＡＦ可能エリア枠ＡＡ及び基準エリア枠ＲＡに対して識別可能な形態で表示される。たとえば、色及び太さ等を変えて表示される（たとえば、合焦可能エリア枠ＡＢを緑色の中太線で表示する。）。なお、図８に示す例では、合焦可能エリアを明確にするため、合焦可能エリア枠ＡＢ内にハッチングを付して表示している。
【００７９】
合焦希望エリア設定部１５０Ｅは、カメラ操作部１４８から操作入力を受け付けて、合焦希望エリアを設定する。合焦希望エリアとは、ユーザが焦点を合わせることを希望するエリアであり、被写界深度の範囲内に収めることを希望するエリアと同義である。合焦希望エリアは、合焦可能エリアの一つ以上のエリアを選択して設定される。選択は、合焦可能エリアの検出結果が表示された表示部１６０の画面上で行われる。
【００８０】
図８に示すように、合焦可能エリアの検出結果の表示画面では、ライブビューの画像ＬＶに重ねて合焦可能エリア枠ＡＢ及び基準エリア枠ＲＡが表示される。そして、その合焦可能エリア枠ＡＢの一つに重ねて選択枠ＳＦが表示される。選択枠ＳＦは、基準エリア枠ＲＡ及び合焦可能エリア枠ＡＢに対して識別可能な形態で表示される。たとえば、色及び太さ等を変えて表示される（たとえば、選択枠ＳＦをピンク色の太線で表示する。）。選択枠ＳＦの初期表示位置は、たとえば、画面左上隅に最も近い合焦可能エリア枠ＡＢの位置である。
【００８１】
ユーザは、画面上に表示された選択枠ＳＦを移動させて、合焦希望エリアを選択する。選択枠ＳＦの移動は、たとえば、ジョイスティック１１５で行われる。ユーザは、ジョイスティック１１５を移動方向に倒す操作で選択枠ＳＦを移動させ、押し込む操作で選択を確定させる。なお、選択枠ＳＦの移動は、合焦可能エリアの範囲でのみ可能とされる。また、一度選択したエリアは、再度、ジョイスティック１１５を押し込む操作で、選択がキャンセルされる。
【００８２】
なお、背面モニタ１２０が表示部１６０として選択されている場合は、画面へのタッチ操作によっても、合焦希望エリアの選択ができる。この場合、合焦可能エリアの中から合焦希望エリアとするエリアをタッチして、合焦希望エリアを選択する。なお、この場合、一度選択したエリアは、再度のタッチ操作によって、選択がキャンセルされる。
【００８３】
合焦希望エリアとして選択された合焦可能エリアは、未選択の合焦可能エリアと区別するため、その枠の形態が変化する。たとえば、青線の枠で表示される。
【００８４】
合焦希望エリアの選択が終了した場合は、選択の処理を確定させる。この処理は、たとえば、ＯＫボタン１１７を押下することにより行われる。なお、背面モニタ１２０が表示部１６０として選択されている場合は、画面上に表示させた所定のボタン（たとえば、確定ボタン）へタッチすることによって、選択の処理を確定させてもよい。
【００８５】
図９は、合焦希望エリアの選択後の表示画面の一例を示す図である。
【００８６】
同図に示すように、合焦希望エリアの選択が確定されると、ライブビューの画像ＬＶに重ねて合焦希望エリアを示す枠（以下、合焦希望エリア枠ＡＣと称する）、及び、基準エリア枠ＲＡが表示される。図９では、人物である第２の被写体ＯＢ２から第６の被写体ＯＢ６の顔が写るエリアを合焦希望エリアとして選択した場合の例を示している。
【００８７】
絞り値算出部１５０Ｆは、合焦希望エリアの被写体を被写界深度の範囲内に収めて撮像するための絞り値を算出する。この際、絞り値算出部１５０Ｆは、基準エリアの被写体を基準にして絞り値を算出する。すなわち、基準エリアの被写体に焦点を合わせようとした場合に、合焦希望エリアの被写体を被写界深度の範囲内に収めるための絞り値を算出する。この場合において、絞り値算出部１５０Ｆは、設定可能な範囲で最小の絞り値を算出する。算出処理は、たとえば、最初に、交換レンズ１０で設定できる最小の絞り値を用いて、被写界深度を算出する。そして、算出された被写界深度内に、すべての合焦希望エリアの被写体が含まれるか否かを判定する。含まれれば、算出に用いた絞り値（この場合、交換レンズ１０で設定できる最小の絞り値）を算出結果として出力する。一方、一つでも被写界深度内に含まれていなければ、次に、交換レンズ１０で設定できる絞り値（絞り値を大きくする方向において次のステップの絞り値）を用いて、被写界深度を算出する。そして、算出された被写界深度内に、すべての合焦希望エリアの被写体が含まれるか否かを判定する。このように、段階的に絞り値を上げて、すべての合焦希望エリアの被写体が、被写界深度の範囲内に収まる絞り値を算出する。
【００８８】
絞り値算出部１５０Ｆは、基準エリアに属する被写体の被写体距離の情報、合焦希望エリアに属する被写体の被写体距離の情報、交換レンズ１０の焦点距離の情報、及び、交換レンズ１０で設定できる絞り値の情報を取得して、絞り値を算出する。
【００８９】
絞り値算出部１５０Ｆで算出された絞り値の情報は、合焦可能エリア検出部１５０Ｄ及び露出決定部１５０Ｇに加えられる。
【００９０】
合焦可能エリア検出部１５０Ｄは、絞り値算出部１５０Ｆで算出された絞り値に基づいて、合焦可能エリアを検出し直す。すなわち、絞り値算出部１５０Ｆで算出された絞り値に設定して、基準エリアに焦点を合わせようとした場合に、被写界深度内に含まれるＡＦ可能エリアを合焦可能エリアとして新たに検出する。
【００９１】
算出された絞り値に基づいて、合焦可能エリアが検出し直されると、表示制御部１５０Ａは、その検出し直された合焦可能エリアの情報をライブビューの画像に重ねて表示させる。
【００９２】
図１０は、検出し直された合焦可能エリアの表示画面の一例を示す図である。
【００９３】
同図に示すように、算出された絞り値に基づく合焦可能エリアが枠（合焦可能エリア枠ＡＢ）で表示される。ユーザは、この画面表示を見ることにより、合焦するエリアを把握できる。
【００９４】
露出決定部１５０Ｇは、絞り値算出部１５０Ｆで算出された絞り値、及び、ＡＥ検出部６４で検出された測光値に基づいて、撮像の際の露出を決定する。この場合、算出された絞り値で撮像するための、感度及びシャッタースピードが決定される。
【００９５】
［被写体選択撮像機能の作用］
次に、被写体選択撮像機能を用いた撮像の処理手順（絞り値の設定手順（絞り値設定方法）を含む）について説明する。
【００９６】
本機能は、デジタルカメラ１のモードをオート撮像モードに設定し、かつ、本機能をオンすることで有効化される。本機能のオン及びオフの切り換えは、たとえば、メニュー画面で行われる。オート撮像モードへの設定は、シャッタースピードダイヤル１０７、感度ダイヤル１０８及び絞りリング１２を用いて行われる。すなわち、シャッタースピードダイヤル１０７によってシャッタースピードの設定をオート、感度ダイヤル１０８によって感度の設定をオート、及び、絞りリング１２によって絞り値の設定をオートにすることにより、デジタルカメラ１の撮像モードがオート撮像モードに設定される。
【００９７】
図１１は、被写体選択撮像機能がオンされた場合の撮像の処理手順を示すフローチャートである。
【００９８】
まず、レンズ情報が取得される（ステップＳ１０）。ここで取得されるレンズ情報には、少なくとも交換レンズ１０の焦点距離の情報及び交換レンズ１０で設定できる絞り値の情報が含まれる。
【００９９】
次に、ライブビューが表示される（ステップＳ１１）。すなわち、イメージセンサ１３０で捉えた画像がリアルタイムに表示部１６０（背面モニタ１２０又は電子ビューファインダー１１９）に表示される。このライブビューの画像には、ＡＦ可能エリア枠ＡＡ及び基準エリア枠ＲＡが重ねて表示される（図６参照）。
【０１００】
次に、基準エリアとするエリアが選択される（ステップＳ１２）。基準エリアの選択は、基準エリアとするＡＦ可能エリアの位置に基準エリア枠ＲＡを移動させて、選択を確定させることにより行われる。
【０１０１】
次に、シャッターボタン１０５の半押しの有無（Ｓ１オンの信号の有無）が判定される（ステップＳ１３）。シャッターボタン１０５が半押しされると（Ｓ１オン）、測光及び測距の処理が行われる（ステップＳ１４）。測光により、被写体の明るさが検出される。また、測距により、各ＡＦ可能エリアの被写体が測距される。
【０１０２】
次に、測距結果に基づいて、焦点合わせが行われる（ステップＳ１５）。焦点合わせは、基準エリアの被写体に対して行われる。
【０１０３】
次に、合焦可能エリアが検出される（ステップＳ１６）。合焦可能エリアは、交換レンズ１０の絞り値を設定可能な範囲で最大の絞り値に設定して、基準エリアの被写体に焦点を合わせようとした場合に、被写界深度内に含まれるエリアとして検出される。本実施の形態では、交換レンズ１０で設定できる最大の絞り値を用いて被写界深度が算出される。
【０１０４】
次に、検出された合焦可能エリアが表示部１６０に表示される（ステップＳ１７）。合焦可能エリアは、合焦可能エリア枠で表示され、ライブビューの画像に重ねて表示される（図８参照）。このライブビューの画像には、合焦希望エリアの選択枠も表示される。
【０１０５】
次に、合焦希望エリアが選択される（ステップＳ１８）。合焦希望エリアは、合焦可能エリアの中から選択され、１以上のエリアが選択される（少なくとも基準エリアについては、合焦可能エリアとして選択される）（図９参照）。
【０１０６】
合焦希望エリアの選択が完了すると、次に、絞り値が算出される（ステップＳ１９）。絞り値は、選択された合焦希望エリアの被写体を被写界深度内に収める最小の絞り値が算出される。
【０１０７】
絞り値が算出されると、算出された絞り値に基づいて、合焦可能エリアが検出し直される（ステップＳ２０）。そして、新たに検出された合焦可能エリアが表示部１６０に表示される（図１０参照）（ステップＳ２１）。
【０１０８】
また、算出された絞り値に基づいて、露出が決定される（ステップＳ２２）。すなわち、測光値に基づいて、算出された絞り値で撮像するための感度及びシャッタースピードが決定される。
【０１０９】
次に、シャッターボタン１０５の全押しの有無（Ｓ２オンの信号の有無）が判定される（ステップＳ２３）。シャッターボタン１０５が全押し半押しされると（Ｓ２オン）、決定された露出で本撮像が行われる（ステップＳ２４）。すなわち、記録用の撮像が行われる。そして、撮像により得られた画像が記録される（ステップＳ２５）。画像は、内蔵メモリ１４６又はメモリカード１４４に記録される。画像の記録により、一連の処理が終了する。
【０１１０】
なお、ステップＳ２３において、シャッターボタン１０５の全押しなしと判定されると、半押しの解除の有無（Ｓ１のオフの信号の有無）が判定される（ステップＳ２６）。半押しが解除された場合も処理が終了する。
【０１１１】
図１２は、撮像により得られる画像の一例を示す図である。
【０１１２】
同図に示すように、本機能を用いて撮像することにより、選択したエリアの被写体に焦点があった画像ＩＭ（選択したエリアの被写体が被写界深度内に収まった画像）を得ることができる。
【０１１３】
以上説明したように、本実施の形態のデジタルカメラ１によれば、エリアを選択するという操作だけで、目的の被写体に焦点を合わせた画像を簡単に撮像できる。これにより、たとえば、焦点を合わせたい被写体が複数存在するような場合（特に、光軸方向の前後にばらついて存在している場合）であっても、目的とする被写体のすべてに焦点を合わせた画像を簡単に撮像できる。
【０１１４】
また、焦点合わせが可能なエリア（合焦可能エリア）が前もって表示され、その表示されたエリアの中から焦点合わせを希望するエリア（合焦希望エリア）を選択するので、意図する画像（目的とする被写体に焦点を合わせた画像）の撮像が可能か否かを簡単に把握できる。これにより、使い勝手を向上できる。
【０１１５】
［第２の実施の形態］
上記実施の形態では、設定可能なレンズの絞り値の範囲として、交換レンズ１０で設定できる絞り値の範囲を使用している。本実施の形態では、設定可能なレンズの絞り値の範囲を現在設定されている絞り値以下の範囲とする。したがって、たとえば、ユーザが絞り値を設定している場合には、ユーザが設定した絞り値以下の範囲が、設定可能な絞り値の範囲とされる。より具体的には、最小の絞り値からユーザが設定した絞り値の範囲が、設定可能な絞り値の範囲とされる。したがって、この場合の設定可能な最大の絞り値は、ユーザが設定した絞り値となる。
【０１１６】
本実施の形態では、レンズ情報取得部１５０Ｃにおいて、交換レンズ１０の焦点距離の情報及び交換レンズ１０で設定できる絞り値の情報に加えて、現在設定されている絞り値（ユーザが設定した絞り値）の情報が取得される。
【０１１７】
また、合焦可能エリア検出部１５０Ｄでは、現在設定されている絞り値を用いて合焦可能エリアが検出される。すなわち、本実施の形態では、現在設定されている絞り値が、設定可能な範囲で最大の絞り値であるため、現在設定されている絞り値を用いて合焦可能エリアが検出される。この場合、現在設定されている絞り値で基準エリアの被写体に焦点を合わせようとした場合に、被写界深度内に含まれるエリアが合焦可能エリアとして検出される。
【０１１８】
図１３は、本実施の形態のデジタルカメラにおいて、被写体選択撮像機能がオンされた場合の撮像の処理手順を示すフローチャートである。
【０１１９】
まず、レンズ情報が取得される（ステップＳ３０）。本実施の形態では、交換レンズ１０の焦点距離の情報及び交換レンズ１０で設定できる絞り値の情報に加えて、現在設定されている絞り値（ユーザが設定した絞り値）の情報が取得される。なお、絞り値の設定は、絞りリング１２で行われる。具体的には、絞りリング１２にプリント又は刻印された絞り値を鏡胴１０Ａの外周部にプリント又は刻印された指標に合わせて、使用する絞り値を選択する。なお、絞りリング１２にプリント又は刻印されたＡ（auto）の文字を指標に合わせると、絞り値を自動で設定するモードに設定される。
【０１２０】
次に、ライブビューが表示される（ステップＳ３１）。ライブビューの画像には、ＡＦ可能エリア枠ＡＡ及び基準エリア枠ＲＡが重ねて表示される（図６参照）。
【０１２１】
次に、基準エリアとするエリアが選択される（ステップＳ３２）。
【０１２２】
次に、シャッターボタン１０５の半押しの有無（Ｓ１オンの信号の有無）が判定される（ステップＳ３３）。シャッターボタン１０５が半押しされると（Ｓ１オン）、測光及び測距の処理が行われる（ステップＳ３４）。
【０１２３】
次に、基準エリアの被写体に対して、焦点合わせが行われる（ステップＳ３５）。
【０１２４】
次に、合焦可能エリアが検出される（ステップＳ３６）。本実施の形態では、現在設定されている絞り値で、基準エリアの被写体に焦点を合わせようとした場合に、被写界深度内に含まれるＡＦ可能エリアが検出される。
【０１２５】
次に、検出された合焦可能エリアが表示部１６０に表示される（ステップＳ３７）（図８参照）。
【０１２６】
次に、合焦希望エリアが選択される（ステップＳ３８）。なお、上記のように、本実施の形態では、現在設定されている絞り値を基準にして合焦可能エリアが検出される。このため、絞り値によっては、希望するエリアを選択できない場合がある（焦点合わせを希望する被写体のエリアが、合焦可能エリアに含まれていない場合がある。）。希望するエリアを選択できない場合、ユーザは、絞り値を変更する。絞り値の変更は、絞りリング１２の操作で行われる。このユーザによる絞り値の変更の有無が判定される（ステップＳ３９）。絞り値が変更された場合、ステップＳ３６に戻り、新たに選択された絞り値の下で合焦可能エリアが検出される。
【０１２７】
一方、合焦希望エリアが選択されて、その処理が確定すると、絞り値が算出される（ステップＳ４０）。絞り値は、選択された合焦希望エリアの被写体を被写界深度内に収める最小の絞り値が算出される。絞り値が算出されると、算出された絞り値に基づいて、合焦可能エリアが検出し直される（ステップＳ４１）。そして、新たに検出された合焦可能エリアが表示部１６０に表示される（図１０参照）（ステップＳ４２）。また、算出された絞り値に基づいて、露出が決定される（ステップＳ４３）。すなわち、測光値に基づいて、算出された絞り値で撮像するための感度及びシャッタースピードが決定される。
【０１２８】
次に、シャッターボタン１０５の全押しの有無（Ｓ２オンの信号の有無）が判定される（ステップＳ４４）。シャッターボタン１０５が全押し半押しされると（Ｓ２オン）、決定された露出で本撮像が行われる（ステップＳ４５）。そして、撮像により得られた画像が記録される（ステップＳ４６）。一方、シャッターボタン１０５の全押しなしと判定されると、半押しの解除の有無（Ｓ１のオフの信号の有無）が判定される（ステップＳ４７）。半押しが解除された場合は、処理を終了する。
【０１２９】
以上説明したように、本実施の形態では、現在設定されている絞り値（ユーザが設定した絞り値）を基準にして合焦可能エリアが検出される。そして、検出された合焦可能エリアから合焦希望エリアが選択されて設定される。これにより、ユーザの撮像意図を反映でき、より使い勝手を向上できる。
【０１３０】
［第３の実施の形態］
本実施の形態では、設定可能なレンズの絞り値の範囲が、測光結果に基づいて露出を決定する場合に、シャッタースピードを閾値以上に保てる範囲に限定される。たとえば、手振れの影響を防げるシャッタースピードをＴ［秒］とすると、シャッタースピードをＴ［秒］以上に保てる範囲で絞り値が設定される。
【０１３１】
図１４は、本実施の形態のデジタルカメラにおいて、被写体選択撮像機能を実現する構成の一例を示すブロック図である。
【０１３２】
同図に示すように、本実施の形態のデジタルカメラには、設定可能な絞り値の範囲を算出する絞り値設定可能範囲算出部１５０Ｈが更に備えられる。
【０１３３】
絞り値設定可能範囲算出部１５０Ｈは、ＡＥ処理部１４０による測光結果に基づいて、設定可能な絞り値の範囲を算出する。具体的には、シャッタースピードをＴｈ［秒］とした場合に、設定感度の下、適正露出で撮像するための絞り値を求める。そして、求めた絞り値以下の範囲を設定可能な絞り値の範囲として算出する。この場合、求めた絞り値が、設定可能な最大の絞り値となる。なお、シャッタースピードのＴｈ［秒］は、シャッタースピードの閾値である。また、感度は、感度ダイヤル１０８で設定された感度が用いられる。算出された絞り値の範囲の情報は、合焦可能エリア検出部１５０Ｄに加えられる。絞り値設定可能範囲算出部１５０Ｈの機能は、カメラマイコン１５０によって実現される。すなわち、カメラマイコン１５０が、所定の制御プログラムを実行することにより、カメラマイコン１５０が絞り値設定可能範囲算出部１５０Ｈとして機能する。
【０１３４】
合焦可能エリア検出部１５０Ｄは、絞り値設定可能範囲算出部１５０Ｈの算出結果を取得し、合焦可能エリアを検出する。
【０１３５】
図１５は、本実施の形態のデジタルカメラにおいて、被写体選択撮像機能がオンされた場合の撮像の処理手順を示すフローチャートである。
【０１３６】
まず、レンズ情報が取得される（ステップＳ５０）。
【０１３７】
次に、ライブビューが表示される（ステップＳ５１）。ライブビューの画像には、ＡＦ可能エリア枠ＡＡ及び基準エリア枠ＲＡが重ねて表示される（図６参照）。
【０１３８】
次に、基準エリアとするエリアが選択される（ステップＳ５２）。
【０１３９】
次に、シャッターボタン１０５の半押しの有無（Ｓ１オンの信号の有無）が判定される（ステップＳ５３）。シャッターボタン１０５が半押しされると（Ｓ１オン）、測光及び測距の処理が行われる（ステップＳ５４）。
【０１４０】
次に、基準エリアの被写体に対して、焦点合わせが行われる（ステップＳ５５）。
【０１４１】
次に、測光結果に基づいて、設定可能な絞り値の範囲が算出される（ステップＳ５６）。すなわち、シャッタースピードをＴｈ［秒］とした場合に、設定感度の下、適正露出で撮像するための絞り値が求められ、設定可能な絞り値の範囲が算出される。
【０１４２】
次に、合焦可能エリアが検出される（ステップＳ５７）。この際、絞り値設定可能範囲算出部１５０Ｈで算出された絞り値の範囲に基づいて、合焦可能エリアが検出される。すなわち、算出された範囲内で最大の絞り値に設定して、基準エリアの被写体に焦点を合わせようとした場合に、被写界深度内に含まれるＡＦ可能エリアが合焦可能エリアとして検出される。
【０１４３】
次に、検出された合焦可能エリアが表示部１６０に表示される（ステップＳ５８）（図８参照）。
【０１４４】
次に、合焦希望エリアが選択される（ステップＳ５９）。なお、上記のように、本実施の形態では、被写体の明るさ（測光結果）に応じて、設定可能な絞り値が制限される。このため、被写体の明るさ（測光結果）によっては、希望するエリアを選択できない場合がある（焦点合わせを希望する被写体のエリアが、合焦可能エリアに含まれていない場合がある。）。希望するエリアを選択できない場合、ユーザは、感度を変更する。感度の変更は、感度ダイヤル１０８の操作で行われる。このユーザによる感度の変更の有無が判定される（ステップＳ６０）。感度が変更された場合、ステップＳ５６に戻り、再度、設定可能な絞り値の範囲が算出される。そして、算出された範囲の下で、新たに合焦可能範囲が検出され直される。
【０１４５】
一方、合焦希望エリアが選択されて、その処理が確定すると、絞り値が算出される（ステップＳ６１）。絞り値は、選択された合焦希望エリアの被写体を被写界深度内に収める最小の絞り値が算出される。絞り値が算出されると、算出された絞り値に基づいて、合焦可能エリアが検出し直される（ステップＳ６２）。そして、新たに検出された合焦可能エリアが表示部１６０に表示される（図１０参照）（ステップＳ６３）。また、算出された絞り値に基づいて、露出が決定される（ステップＳ６４）。すなわち、測光値に基づいて、算出された絞り値で撮像するための感度及びシャッタースピードが決定される。
【０１４６】
次に、シャッターボタン１０５の全押しの有無（Ｓ２オンの信号の有無）が判定される（ステップＳ６５）。シャッターボタン１０５が全押し半押しされると（Ｓ２オン）、決定された露出で本撮像が行われる（ステップＳ６６）。そして、撮像により得られた画像が記録される（ステップＳ６７）。一方、シャッターボタン１０５の全押しなしと判定されると、半押しの解除の有無（Ｓ１のオフの信号の有無）が判定される（ステップＳ６８）。半押しが解除された場合は、処理を終了する。
【０１４７】
以上説明したように、本実施の形態では、測光結果に基づいて、設定可能な絞り値が制限される。これにより、たとえば、手振れが生じるようなシャッタースピードに設定されたり、ノイズが生じるような感度に設定されたりするのを防止できる。これにより、より使い勝手を向上できる。
【０１４８】
なお、シャッタースピードの閾値については、手振れを考慮して設定することが好ましい。この場合、手振れ補正機能の有無、及び／又は、交換レンズの焦点距離に応じて、閾値を変えることが、より好ましい。
【０１４９】
［第４の実施の形態］
本実施の形態のデジタルカメラは、合焦希望エリアのメモリ機能を備える点で上記各実施の形態のデジタルカメラと相違する。以下においては、この相違点である合焦希望エリアのメモリ機能について説明する。
【０１５０】
合焦希望エリアのメモリ機能とは、ユーザが選択した合焦希望エリアの情報をカメラに保持（記憶）しておく機能である。保持された合焦希望エリアの情報は、必要に応じて読み出され、合焦希望エリアとして設定される。
【０１５１】
図１６は、本実施の形態のデジタルカメラにおいて、被写体選択撮像機能を実現する構成の一例を示すブロック図である。
【０１５２】
本実施の形態のデジタルカメラでは、内蔵メモリ１４６が、合焦希望エリア情報記憶部として機能し、内蔵メモリ１４６に、合焦希望エリア設定部１５０Ｅで設定された合焦希望エリアの情報が記憶される。
【０１５３】
本実施の形態のデジタルカメラには、内蔵メモリ１４６への合焦希望エリアの情報の記録を制御する合焦希望エリア情報記録制御部１５０Ｉと、内蔵メモリ１４６に記憶された合焦希望エリアの情報を読み出す合焦希望エリア情報読み出し部１５０Ｊと、が更に備えられる。
【０１５４】
合焦希望エリア情報記録制御部１５０Ｉは、カメラ操作部１４８への操作入力に基づいて、合焦希望エリア設定部１５０Ｅで設定された合焦希望エリアの情報を内蔵メモリ１４６に記録する。すなわち、カメラ操作部１４８の操作に基づく記録指示に応じて、合焦希望エリア設定部１５０Ｅで設定された合焦希望エリアの情報を内蔵メモリ１４６に記録する。なお、この合焦希望エリアの情報には、基準エリアの情報も含まれる。
【０１５５】
合焦希望エリアの情報を記録するか否かは、本撮像の度に問い合わされる。すなわち、本撮像が終了すると、表示部１６０の画面に合焦希望エリアの記録の要否を問い合わせるメッセージが表示される。ユーザは、画面に表示されたメッセージに応じて、記録の要否を指示する。
【０１５６】
図１７は、合焦希望エリアの記録の要否を問い合わせるメッセージを表示した表示部の画面の一例を示す図である。
【０１５７】
同図に示すように、本撮像により得られた画像ＩＭと共に、合焦希望エリアの記録の要否を問い合わせるメッセージＭＳが表示される。また、画像ＩＭに重ねて合焦希望エリアの情報（合焦希望エリア枠ＡＣ）が表示される。なお、同図は、ＯＫボタン１１７の押下又は画面上のＯＫボタンのタッチにより、記録が指示され、キャンセルボタン１１８の押下又は画面上のキャンセルボタンのタッチにより、記録のキャンセルが指示される場合の例を示している。合焦希望エリア情報記録制御部１５０Ｉは、カメラ操作部１４８への操作入力に基づいて、合焦希望エリアの情報を内蔵メモリ１４６に記録する。カメラ操作部１４８は、合焦希望エリア情報記憶指示部の一例である。
【０１５８】
合焦希望エリア情報記録制御部１５０Ｉの機能は、カメラマイコン１５０によって実現される。すなわち、カメラマイコン１５０が、所定の制御プログラムを実行することにより、カメラマイコン１５０が合焦希望エリア情報記録制御部１５０Ｉとして機能する。
【０１５９】
合焦希望エリア情報読み出し部１５０Ｊは、カメラ操作部１４８への操作入力に基づいて、内蔵メモリ１４６に記憶された合焦希望エリアの情報を読み出す。すなわち、カメラ操作部１４８の操作に基づく読み出し指示に応じて、内蔵メモリ１４６に記憶された合焦希望エリアの情報を読み出す。カメラ操作部１４８は、合焦希望エリア情報読み出し指示部の一例である。読み出された合焦希望エリアの情報は、合焦希望エリア設定部１５０Ｅに加えられる。合焦希望エリア設定部１５０Ｅは、取得した情報に基づいて合焦希望エリアを設定し、設定した情報を絞り値算出部１５０Ｆに加える。絞り値算出部１５０Ｆは、取得したされた合焦希望エリアの情報（＝合焦希望エリア情報読み出し部１５０Ｊによって読み出された合焦希望エリアの情報）に基づいて、絞り値を算出する。
【０１６０】
合焦希望エリア情報読み出し部１５０Ｊの機能は、カメラマイコン１５０によって実現される。すなわち、カメラマイコン１５０が、所定の制御プログラムを実行することにより、カメラマイコン１５０が合焦希望エリア情報読み出し部１５０Ｊとして機能する。
【０１６１】
図１８は、本実施の形態のデジタルカメラにおいて、被写体選択撮像機能がオンされた場合の撮像の処理手順を示すフローチャートである。
【０１６２】
まず、レンズ情報が取得される（ステップＳ７０）。
【０１６３】
次に、ライブビューが表示される（ステップＳ７１）。
【０１６４】
次に、カメラ操作部１４８からの操作入力に基づいて、合焦希望エリアの情報の読み出しの指示の有無が判定される（ステップＳ７２）。読み出しが指示されていない場合は、上記実施の形態で説明した手順に従って、以降の処理が行われる（たとえば、図１１参照）。
【０１６５】
一方、読み出しが指示された場合、合焦希望エリアの情報の読み出しが行われる（ステップＳ７３）。なお、合焦希望エリアの情報が、複数記憶されている場合は、読み出す情報の選択処理が行われる。選択は、たとえば、カメラ操作部１４８の操作に基づいて、内蔵メモリ１４６に記憶されている合焦希望エリアの情報を１つずつ画面に表示させて行う（十字ボタン１１６のボタン操作又は画面上のスワイプ操作によって、情報の切り換えを指示する。）。
【０１６６】
次に、読み出された合焦希望エリアの情報に基づいて、基準エリア及び合焦希望エリアが設定される（ステップＳ７４）。
【０１６７】
次に、シャッターボタン１０５の半押しの有無（Ｓ１オンの信号の有無）が判定される（ステップＳ７５）。シャッターボタン１０５が半押しされると（Ｓ１オン）、測光及び測距の処理が行われる（ステップＳ７６）。
【０１６８】
次に、基準エリアの被写体に対して、焦点合わせが行われる（ステップＳ７７）。
【０１６９】
次に、合焦希望エリアに基づいて、絞り値が算出される（ステップＳ７８）。絞り値が算出されると、算出された絞り値に基づいて、合焦可能エリアが検出される（ステップＳ７９）。そして、検出された合焦可能エリアが表示部１６０に表示される（ステップＳ８０）。また、算出された絞り値に基づいて、露出が決定される（ステップＳ８１）。
【０１７０】
次に、シャッターボタン１０５の全押しの有無（Ｓ２オンの信号の有無）が判定される（ステップＳ８２）。シャッターボタン１０５の全押しなしと判定されると、半押しの解除の有無（Ｓ１のオフの信号の有無）が判定される（ステップＳ８７）。半押しが解除された場合は、処理を終了する。
【０１７１】
一方、シャッターボタン１０５が全押し半押しされると（Ｓ２オン）、決定された露出で本撮像が行われる（ステップＳ８３）。そして、撮像により得られた画像が記録される（ステップＳ８４）。この後、合焦希望エリアの記録の指示の有無が判定される（ステップＳ８５）。記録が指示された場合は、合焦希望エリアの情報が、内蔵メモリ１４６に記録される（ステップＳ８６）。
【０１７２】
以上説明したように、本実施の形態のデジタルカメラによれば、ユーザが設定した合焦希望エリアの情報をカメラ内に保持でき、必要に応じて読み出して設定できる。これにより、過去に撮像したシーンと同じシーンを撮像する場合において、設定を迅速に行うことができる。
【０１７３】
なお、上記実施の形態では、合焦希望エリアと同時に基準エリアも設定される構成としているが、基準エリアを設定し直せるようにしてもよい。この場合、合焦希望エリア内で基準エリアを設定できるようにすることが好ましい。
【０１７４】
［第５の実施の形態］
本実施の形態のデジタルカメラは、算出された絞り値に基づいて検出し直された合焦希望エリアから合焦希望エリアの選択を再度受け付ける機能を有する。なお、装置の基本構成は、上記実施の形態と同じなので、ここでは、処理の手順についてのみ説明する。
【０１７５】
図１９は、本実施の形態のデジタルカメラにおいて、被写体選択撮像機能がオンされた場合の撮像の処理手順を示すフローチャートである。
【０１７６】
まず、レンズ情報が取得される（ステップＳ９０）。次に、ライブビューが表示される（ステップＳ９１）。
【０１７７】
次に、基準エリアとするエリアが選択される（ステップＳ９２）。次に、シャッターボタン１０５の半押しの有無（Ｓ１オンの信号の有無）が判定される（ステップＳ９３）。シャッターボタン１０５が半押しされると（Ｓ１オン）、測光及び測距の処理が行われる（ステップＳ９４）。次に、測距結果に基づいて、焦点合わせが行われる（ステップＳ９５）。次に、合焦可能エリアが検出される（ステップＳ９６）。次に、検出された合焦可能エリアが表示部１６０に表示される（ステップＳ９７）。次に、合焦希望エリアが選択される（ステップＳ９８）。次に、絞り値が算出される（ステップＳ９９）。絞り値が算出されると、算出された絞り値に基づいて、合焦可能エリアが検出し直される（ステップＳ１００）。そして、新たに検出された合焦可能エリアが表示部１６０に表示される（図１０参照）（ステップＳ１０１）。
【０１７８】
次に、カメラ操作部１４８からの操作入力に基づいて、合焦希望エリアの選択の有無が判定される（ステップＳ１０２）。ユーザは、合焦希望エリアを変更する場合は、カメラ操作部１４８を操作して、合焦希望エリアを設定する。
【０１７９】
ここで、合焦希望エリアが再度選択された場合は、ステップＳ９９に戻り、選択された合焦希望エリアの情報に基づいて、新たに絞り値が算出し直される。
【０１８０】
一方、合焦希望エリアの選択がなされなかった場合は、算出された絞り値に基づいて、露出が決定される（ステップＳ１０３）。この後、シャッターボタン１０５の全押しの有無（Ｓ２オンの信号の有無）が判定される（ステップＳ１０４）。シャッターボタン１０５が全押し半押しされると（Ｓ２オン）、決定された露出で本撮像が行われ（ステップＳ１０５）、撮像により得られた画像が記録される（ステップＳ１０６）。一方、シャッターボタン１０５の全押しなしと判定されると、半押しの解除の有無（Ｓ１のオフの信号の有無）が判定される（ステップＳ１０７）。半押しが解除された場合は、処理を終了する。
【０１８１】
以上説明したように、本実施の形態のデジタルカメラによれば、必要に応じて、合焦希望エリアを設定し直すことができる。これにより、使い勝手をより向上できる。
【０１８２】
［その他の実施の形態］
上記各実施の形態の機能は、適宜組み合わせて使用できる。
【０１８３】
上記実施の形態では、ＡＦ可能エリアをグリッド状に分割した場合を例に説明したが、ＡＦ可能エリアの設定は、これに限定されるものではない。ＡＦ方式、測距方式等に応じて、適宜、ＡＦ可能エリアを設定できる。
【０１８４】
また、上記実施の形態では、イメージセンサに備えられた位相差検出画素を利用して、各エリアの被写体を測距する構成としているが、各エリアの被写体を測距する構成は、これに限定されるものではい。この他、たとえば、ＴＯＦ（Time-of-Flight）方式、コントラスト方式、レーザ測距方式、超音波測距方式等の公知の測距手法を用いて測距することもできる。
【０１８５】
また、上記実施の形態では、設定可能な絞り値の下限値をレンズで設定できる最小の絞り値としているが、ユーザが任意に設定できるようにしてもよい。同様に、設定可能な絞り値の上限値をユーザが任意に設定できるようにしてもよい。また、設定可能な絞り値の範囲をユーザが任意に設定できるようにしてもよい。
【０１８６】
また、上記実施の形態では、レンズが交換可能なレンズ交換式のデジタルカメラに本発明を適用した場合を例に説明したが、本発明が適用される撮像装置は、これに限定されるものではない。コンパクトカメラ等のレンズがカメラボディに一体的に備えられたデジタルカメラにも適用できる。また、静止画を撮像する撮像装置に限らず、動画を撮像する撮像装置（ビデオカメラ、テレビカメラ、シネカメラ等）にも適用できる。更に、撮像装置は、単体で構成されるものに限らず、他の機能を備えた機器、たとえば、カメラ付きのスマートフォン、カメラ付きのタブレット型コンピュータ、カメラ付きの携帯電話器等の撮像機能を備えた電子機器にも適用できる。
【０１８７】
また、被写体選択撮像機能を実現するハードウェアは、各種のプロセッサ（processor）で構成できる。各種プロセッサには、プログラムを実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device；ＰＬＤ）、ＡＳＩＣ（Application Specific Integrated Circuit）などの特定の処理を実行させるために専用に設計された回路構成を有するプロセッサである専用電気回路などが含まれる。点検支援装置を構成する１つの処理部は、上記各種プロセッサのうちの１つで構成されていてもよいし、同種又は異種の２つ以上のプロセッサで構成されてもよい。たとえば、１つの処理部は、複数のＦＰＧＡ、あるいは、ＣＰＵとＦＰＧＡの組み合わせによって構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip；ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種プロセッサを１つ以上用いて構成される。更に、これらの各種のプロセッサのハードウェア的な構造は、より具体的には、半導体素子などの回路素子を組み合わせた電気回路（circuitry）である。
【符号の説明】
【０１８８】
１  デジタルカメラ
１０  交換レンズ
１０Ａ  鏡胴
１１  フォーカスリング
１２  絞りリング
１３  絞り
２０  レンズ駆動部
２１  絞り駆動部
２２  レンズマイコン
２３  レンズ操作部
６４  ＡＥ検出部
１００  カメラボディ
１０１  レンズマウント
１０２  フォーカスモード切換レバー
１０３  フロントコマンドダイヤル
１０４  電源レバー
１０５  シャッターボタン
１０６  露出補正ダイヤル
１０７  シャッタースピードダイヤル
１０８  感度ダイヤル
１０９  リアコマンドダイヤル
１１０  消去ボタン
１１１  再生ボタン
１１２  ロックボタン
１１３  ロックボタン
１１４  メニューボタン
１１５  ジョイスティック
１１６  十字ボタン
１１７  ＯＫボタン
１１８  キャンセルボタン
１１９  電子ビューファインダー
１１９Ａ  接眼部
１２０  背面モニタ
１２０Ａ  ディスプレイ
１２０Ｂ  タッチパッド
１３０  イメージセンサ
１３０Ａ  イメージセンサ駆動部
１３０Ｂ  撮像面
１３２  シャッタ
１３２Ａ  シャッタ駆動部
１３４  アナログ信号処理部
１３６  デジタル信号処理部
１３８  ＡＦ処理部
１３８Ａ  測距部
１４０  ＡＥ処理部
１４２  メモリカードインタフェース
１４４  メモリカード
１４６  内蔵メモリ
１４８  カメラ操作部
１５０  カメラマイコン
１５０Ａ  表示制御部
１５０Ｂ  基準エリア設定部
１５０Ｃ  レンズ情報取得部
１５０Ｄ  合焦可能エリア検出部
１５０Ｅ  合焦希望エリア設定部
１５０Ｆ  絞り値算出部
１５０Ｇ  露出決定部
１５０Ｈ  絞り値設定可能範囲算出部
１５０Ｉ  合焦希望エリア情報記録制御部
１５０Ｊ  合焦希望エリア情報読み出し部
１６０  表示部
Ａ（ｉ，ｊ）  ＡＦ可能エリア
ＡＡ  ＡＦ可能エリア枠
ＡＢ  合焦可能エリア枠
ＡＣ  合焦希望エリア枠
ＩＭ  本撮像により得られる画像
ＬＶ  ライブビューの画像
ＭＳ  メッセージ
ＯＢ１  第１の被写体
ＯＢ２  第２の被写体
ＯＢ３  第３の被写体
ＯＢ４  第４の被写体
ＯＢ５  第５の被写体
ＯＢ６  第６の被写体
ＯＢ７  第７の被写体
ＯＢ８  第８の被写体
ＯＢ９  第９の被写体
ＯＢ１０  第１０の被写体
ＯＢ１１  第１１の被写体
ＯＢ１２  第１２の被写体
ＯＢ１３  第１３の被写体
ＲＡ  基準エリア枠
ＳＦ  選択枠
Ｓ１０〜Ｓ２６  被写体選択撮像機能がオンされた場合の撮像の処理手順（第１の実施の形態）
Ｓ３０〜Ｓ４７  被写体選択撮像機能がオンされた場合の撮像の処理手順（第２の実施の形態）
Ｓ５０〜Ｓ６８  被写体選択撮像機能がオンされた場合の撮像の処理手順（第３の実施の形態）
Ｓ７０〜Ｓ８７  被写体選択撮像機能がオンされた場合の撮像の処理手順（第４の実施の形態）
Ｓ９０〜Ｓ１０７  被写体選択撮像機能がオンされた場合の撮像の処理手順（第５の実施の形態）
【図１】
2020165997.tif 000003
【図２】
2020165997.tif 000004
【図３】
2020165997.tif 000005
【図４】
2020165997.tif 000006
【図５】
2020165997.tif 000007
【図６】
2020165997.tif 000008
【図７】
2020165997.tif 000009
【図８】
2020165997.tif 000010
【図９】
2020165997.tif 000011
【図１０】
2020165997.tif 000012
【図１１】
2020165997.tif 000013
【図１２】
2020165997.tif 000014
【図１３】
2020165997.tif 000015
【図１４】
2020165997.tif 000016
【図１５】
2020165997.tif 000017
【図１６】
2020165997.tif 000018
【図１７】
2020165997.tif 000019
【図１８】
2020165997.tif 000020
【図１９】
2020165997.tif 000021